(57)【要約】【課題】エアカーテン用の空気の冷却に要するエネルギー量を低減することのできるオープンショーケースを提供する。【解決手段】吐出口４０の下方に商品陳列室２０の幅方向に延びるように設けられた延設部材９０を備え、延設部材９０の後端がエアカーテンの前面に対して前後２０ｍｍ以内の範囲に配置されているので、吐出空気と外気との接触面において渦が発生しても、その渦の下方への移動が延設部材９０によって妨げられるとともに、延設部材９０によって渦が細かく砕かれ、吐出空気と外気との接触面において渦が大きく成長することがない。即ち、エアカーテンの下端側において外気と混ざり合う吐出空気の量を少なくすることができ、エアカーテン用の空気の冷却に要するエネルギー量を低減することができる。【選択図】図３
2008256302.tif 000002
【特許請求の範囲】
【請求項１】
前面に開口部を有する商品陳列室と、商品陳列室の開口部の上端に商品陳列室の幅方向に延びるように設けられ、下方に向かって空気を吐出可能な吐出口と、商品陳列室の開口部の下端に商品陳列室の幅方向に延びるように設けられ、吐出口から吐出された吐出空気を吸入する吸入口とを備え、吸入口から吸入された空気を吐出口から吐出することにより、商品陳列室の開口部にエアカーテンを形成するオープンショーケースにおいて、
前記吐出口の下方に商品陳列室の幅方向に延びるように設けられた延設部材を備え、
延設部材の後端がエアカーテンの前面に対して前後２０ｍｍ以内の範囲に配置されるように構成した
ことを特徴とするオープンショーケース。
【請求項２】
前記延設部材をその後端と吐出口の前端との上下方向の距離が２００ｍｍ以上７００ｍｍ以下になるように１つ配置した
ことを特徴とする請求項１記載のオープンショーケース。
【請求項３】
前記延設部材を互いに上下方向に間隔をおいて複数設けた
ことを特徴とする請求項１記載のオープンショーケース。
【請求項４】
前記商品陳列室内に互いに上下方向に間隔をおいて設けられた複数の商品棚を備え、
延設部材を商品棚の前方に配置した
ことを特徴とする請求項１、２または３記載のオープンショーケース。
【請求項５】
前記各延設部材のうち最も上側の延設部材をその後端と吐出口の前端との上下方向の距離が２００ｍｍ以上７００ｍｍ以下になるように配置した
ことを特徴とする請求項３記載のオープンショーケース。
【請求項６】
前記延設部材を前後方向に移動可能に設けた
ことを特徴とする請求項１、２、３、４または５記載のオープンショーケース。
【請求項７】
前記延設部材の前方に延設部材と並んで延びるように設けられた少なくとも一つの並設部材を備え、
延設部材と並設部材との間に所定の隙間を設けた
ことを特徴とする請求項１、２、３、４、５または６記載のオープンショーケース。
【発明の詳細な説明】
【技術分野】
【０００１】
本発明は、例えばコンビニエンスストア等の店舗内に配置され、食料品や飲料等の商品を冷却または加熱しながら陳列するオープンショーケースに関するものである。
【背景技術】
【０００２】
従来、この種のオープンショーケースとしては、前面に開口部を有する商品陳列室と、商品陳列室の開口部の上端に設けられ、下方に向かって空気を吐出可能な吐出口と、商品陳列室の開口部の下端に設けられ、吐出口から吐出された空気を吸入する吸入口と、吸入口から吸入された空気を冷却して吐出口から吐出する空気循環機構とを備え、吐出口から吐出される冷却された吐出空気によって商品陳列室の開口部にエアカーテンを形成するようにしたものが知られている（例えば、特許文献１参照。）。
【特許文献１】特開平１１−３２５６９８号公報
【発明の開示】
【発明が解決しようとする課題】
【０００３】
ところで、前記オープンショーケースでは、吐出口から吐出された吐出空気は商品陳列室外の外気と接触しながら下方に向かって移動するので、吐出空気と外気との接触面（エアカーテンの前面）において渦が発生し、その渦は下方に向かって徐々に大きく成長していく（図１７参照）。また、渦によって吐出空気と外気とが混ざり合い、渦が大きくなると外気と混ざり合う吐出空気の量が多くなるので、エアカーテンの下端側において吐出空気の温度が上昇し、エアカーテン用の空気の冷却に要するエネルギー量が増大するという問題点があった。
【０００４】
本発明は前記問題点に鑑みてなされたものであり、その目的とするところは、エアカーテン用の空気の冷却に要するエネルギー量を低減することのできるオープンショーケースを提供することにある。
【課題を解決するための手段】
【０００５】
本発明は前記目的を達成するために、前面に開口部を有する商品陳列室と、商品陳列室の開口部の上端に商品陳列室の幅方向に延びるように設けられ、下方に向かって空気を吐出可能な吐出口と、商品陳列室の開口部の下端に商品陳列室の幅方向に延びるように設けられ、吐出口から吐出された吐出空気を吸入する吸入口とを備え、吸入口から吸入された空気を吐出口から吐出することにより、商品陳列室の開口部にエアカーテンを形成するオープンショーケースにおいて、前記吐出口の下方に商品陳列室の幅方向に延びるように設けられた延設部材を備え、延設部材の後端がエアカーテンの前面に対して前後２０ｍｍ以内の範囲に配置されるように構成している。
【０００６】
これにより、吐出口の下方に商品陳列室の幅方向に延びるように設けられた延設部材を備え、延設部材の後端がエアカーテンの前面に対して前後２０ｍｍ以内の範囲に配置されることから、吐出口から吐出された吐出空気が商品陳列室外の外気と接触し、その接触面において渦が発生しても、その渦の下方への移動が延設部材によって妨げられるとともに、延設部材によって渦が細かく砕かれ、吐出空気と外気との接触面において渦が大きく成長することがない。
【発明の効果】
【０００７】
本発明によれば、吐出空気と外気との接触面において渦が大きく成長することがないので、エアカーテンの下端側において外気と混ざり合う吐出空気の量を少なくすることができ、エアカーテン用の空気の冷却に要するエネルギー量を低減することができる。
【発明を実施するための最良の形態】
【０００８】
図１乃至図４は本発明の第１実施形態を示すもので、図１はオープンショーケースの斜視図、図２はオープンショーケースの側面断面図、図３はオープンショーケースの動作説明図、図４は延設部材の位置と吐出空気の含有割合との関係を示すグラフである。尚、以下の文章中の方向の説明は図１に示した方向に準ずる。また、左右方向と幅方向は一致するものとする。
【０００９】
このオープンショーケースは、矩形箱状のショーケース本体１０と、ショーケース本体１０内に設けられ、前面に開口部２０ａを有する商品陳列室２０と、商品陳列室２０内に取付けられた上下複数段の商品棚３０と、商品陳列室２０の開口部２０ａの上端に商品陳列室２０の幅方向に延びるように設けられた吐出口４０と、商品陳列室２０の開口部２０ａの下端に商品陳列室２０の幅方向に延びるように設けられた吸入口５０と、ショーケース本体１０内に設けられた通風路６０と、通風路６０内に設けられた周知の冷却器７０及び送風機８０と、吐出口４０の下方に互いに上下方向に間隔をおいて設けられた複数の延設部材９０とを備えている。
【００１０】
ショーケース本体１０は断熱性部材によって形成された上面壁１１、背面壁１２、底面壁１３、一対の側面壁１４及び前面壁１５を有する。
【００１１】
商品陳列室２０は、金属製の上面壁２１、背面壁２２、底面壁２３及びガラス等の透明な部材から成る左右一対の側面壁２４を有する。
【００１２】
各商品棚３０は、商品を載置するための棚板３１と、棚板３１の左右両端を支持する一対の支持部材３２とから成る。商品陳列室２０の背面壁２２には互いに上下方向に間隔をおいて複数の取付孔２２ａが設けられ、各支持部材３２の後端が各取付孔２２ａのうち任意の取付孔２２ａに係止することにより、商品棚３０が商品陳列室２０内の上下方向任意の位置に取付けられるようになっている。
【００１３】
吐出口４０はショーケース本体１０の上面壁１１の前端側と商品陳列室２０の上面壁２１の前端との隙間によって形成され、下方に向かって空気を吐出可能である。吐出口４０には空気を下方に向かって整流するための整流部材４１が設けられ、整流部材４１には上下方向に挿通する複数の孔が設けられている。
【００１４】
吸入口５０はショーケース本体１０の前面壁１５の上端側と商品陳列室２０の底面壁２３の前端との隙間によって形成され、吐出口４０から吐出された吐出空気を吸入するようになっている。吸入口５０内に商品等が落下しないように吸入口５０にはカバー５１が設けられている。
【００１５】
通風路６０はショーケース本体１０の上面壁１１、背面壁１２、底面壁１３及び前面壁１５と商品陳列室２０の上面壁２１、背面壁２２及び底面壁２３との隙間によって形成され、通風路６０の一端は吐出口４０に連通し、通風路６０の他端は吸入口５０に連通している。通風路６０内には冷却器７０及び送風機８０が設けられているので、冷却器７０によって温度調整（冷却）された空気が吐出口４０から吐出され、吐出口４０から吐出された吐出空気が吸入口５０から吸入される。即ち、吐出口４０から吐出された吐出空気によって商品陳列室２０の開口部２０ａにエアカーテンが形成される。
【００１６】
各延設部材９０は断面円形で直径が略２０ｍｍの棒状に形成され、商品陳列室２０の幅方向に延びるように設けられている。各延設部材９０は両端を一対のフレーム９１によって支持され、各フレーム９１はそれぞれ商品陳列室２０の各側面壁２４の前端に沿って上下方向に延びるように設けられている。各延設部材９０は後端が吐出口４０の前端４０ａと吸入口５０の前端５０ａとを結ぶ仮想面ＩＦに対して後方に配置され、各延設部材９０の後端と仮想面ＩＦとの距離Ｌ１は１０ｍｍとなっている（図２参照）。仮想面ＩＦは吐出口４０の前端４０ａと吸入口５０の前端５０ａとを最短距離で結ぶ面であり、本実施形態の場合は吐出口４０の前端４０ａ及び吸入口５０の前端５０ａが直線状であることから、仮想面ＩＦも平面状になっている。ここで、本実施形態では、吐出口４０から吐出された吐出空気は吸入口５０に向かってほぼ直線的に流れるので、各延設部材９０を仮想面ＩＦに対して後方１０ｍｍの位置に配置することにより、各延設部材９０の後端がエアカーテンの前面に対して後方１０ｍｍの位置に配置される。また、各延設部材９０はそれぞれ各商品棚３０の前方に配置されている。
【００１７】
以上のように構成されたオープンショーケースにおいて、通風路６０内で冷却された空気が吐出口４０から吐出されると、吐出口４０から吐出された吐出空気と商品陳列室２０外の外気とが接触し、吐出空気と外気との接触面において渦が発生する（図３参照）。ここで、吐出口４０の下方に商品陳列室２０の幅方向に延びるように設けられた延設部材９０を備え、延設部材９０の後端が吐出口４０の前端４０ａと吸入口５０の前端５０ａとを結ぶ仮想面ＩＦに対して後方１０ｍｍの位置に配置されている。これにより、延設部材９０の後端がエアカーテンの前面に対して後方１０ｍｍの位置に配置されるので、吐出空気と外気との接触面において渦が発生しても、その渦の下方への移動が延設部材９０によって妨げられるとともに、延設部材９０によって渦が細かく砕かれ、吐出空気と外気との接触面において渦が大きく成長することがない。
【００１８】
このように、本実施形態によれば、吐出空気と外気との接触面において渦が大きく成長することがないので、エアカーテンの下端側において外気と混ざり合う吐出空気の量を少なくすることができ、エアカーテン用の空気の冷却に要するエネルギー量を低減することができる。
【００１９】
また、複数の延設部材９０が互いに上下方向に間隔をおいて複数設けられているので、各延設部材９０によって渦の下方への移動が妨げられるとともに、各延設部材９０によって渦が細かく砕かれ、吐出空気と外気との接触面において渦の成長を抑制する上で極めて有利である。
【００２０】
ここで、各延設部材９０の位置と吸入空気における吐出空気の含有割合との関係は図４のグラフのようになる。図４のグラフは、各延設部材９０の後端と仮想面ＩＦとの距離Ｌ１を変更しながら、吸入口５０に吸入される空気における吐出口４０から吐出された吐出空気の割合（吐出空気の含有割合）を測定したものである。尚、各延設部材９０を設けない場合は吐出空気の含有割合が０．７５となる。
【００２１】
各延設部材９０の後端が仮想面ＩＦの前方に配置される場合は、各延設部材９０の後端と仮想面ＩＦとの距離Ｌ１が２０ｍｍ以下であれば、吐出空気の含有割合が０．９近くになり、距離Ｌ１が１０ｍｍ以下であれば、吐出空気の含有割合が０．９を超える。一方、距離Ｌ１が２０ｍｍを超えると、吐出空気の含有割合の低下が顕著になる。また、各延設部材９０の後端が仮想面ＩＦの後方に配置される場合も、各延設部材９０の後端と仮想面ＩＦとの距離Ｌ１が２０ｍｍ以下であれば、吐出空気の含有割合が０．９近くになり、距離Ｌ１が１０ｍｍ以下であれば、吐出空気の含有割合が０．９を超え、距離Ｌ１が２０ｍｍを超えると、吐出空気の含有割合の低下が顕著になる。
【００２２】
従って、前記実施形態では、延設部材９０が仮想面ＩＦに対して後方１０ｍｍの位置に配置されているものを示したが、延設部材９０の後端が仮想面ＩＦに対して前後２０ｍｍ以内の範囲に配置されることにより、延設部材９０の後端がエアカーテンの前面に対して前後２０ｍｍ以内の範囲に配置されていれば、吐出空気と外気との接触面において発生する渦の下方への移動が延設部材９０によって効率的に妨げられるとともに、延設部材９０によって効率的に渦が砕かれ、吐出空気と外気との接触面において渦が大きく成長することがない。また、延設部材９０の後端が仮想面ＩＦに対して前後１０ｍｍ以内の範囲に配置されることにより、延設部材９０の後端がエアカーテンの前面に対して前後１０ｍｍ以内の範囲に配置されていることがより好ましい。ここで、本実施形態では直径が略２０ｍｍの延設部材９０を用いたものを示したが、延設部材９０の直径は１０ｍｍ以上３０ｍｍ以下であることが好ましく、その他の直径の延設部材９０を用いることも可能である。また、延設部材９０の後端をエアカーテンの前面に対して後方に配置する場合には、延設部材９０の前端がエアカーテンの前面よりも前方に配置されるようにすることが好ましい。
【００２３】
また、図５に示すように、各延設部材９０の前方にそれぞれ並設部材９５を設け、各並設部材９５を各延設部材９０と並んで延びるように設けることも可能である。即ち、各並設部材９５は各延設部材９０と同様に商品陳列室２０の幅方向に延びるように設けられ、各並設部材９５と各延設部材９０との間にはそれぞれ所定の隙間が設けられている。各並設部材９５を設けることにより、渦の下方への移動がより効率良く妨げられるとともに、渦がより細かく砕かれ、吐出空気と外気との接触面において渦の成長を抑制する上で極めて有利である。
【００２４】
さらに、図６に示すように、各延設部材９０の前方にそれぞれ並設部材９５を複数ずつ設けることも可能である。この場合、各並設部材９５の間には互いに所定の隙間が設けられている。また、図６に示すように、各並設部材９５を互いに前後方向に並ぶように配置することも可能であり、図７に示すように、各並設部材９５を前方に向かって徐々に位置が低くなるように配置することも可能であり、図８に示すように、各並設部材９５を前方に向かって徐々に位置が高くなるように配置することも可能である。また、図９に示すように、各並設部材９５を前方に向かって徐々に位置が低くなった後に高くなるように配置することも可能であり、図１０に示すように、各並設部材９５を前方に向かって徐々に位置が高くなった後に低くなるように配置することも可能である。
【００２５】
また、各延設部材９０を各商品棚３０の前方に配置したので、各延設部材９０が各商品棚３０上の商品を取出す上で妨げになることがなく、利用者の利便性を低下させることがない。
【００２６】
尚、本実施形態では、各延設部材９０の後端と仮想面ＩＦとの距離Ｌ１が互いに等しいものを示したが、図１１に示すように、各延設部材９０の後端と仮想面ＩＦとの距離Ｌ１を互いに異ならせることも可能である。この場合でも、各延設部材９０の後端が仮想面ＩＦに対して前後２０ｍｍ以内の範囲に配置されることにより、各延設部材９０の後端がエアカーテンの前面に対して前後２０ｍｍ以内の範囲に配置されていれば、前述と同様の効果を達成することができる。
【００２７】
図１２及び図１３は本発明の第２実施形態を示すもので、図１２はオープンショーケースの側面断面図、図１３は延設部材の位置と吐出空気の含有割合との関係を示すグラフである。尚、第１実施形態と同等の構成部分には同一の符号を付して示す。
【００２８】
このオープンショーケースは、第１実施形態と同等のショーケース本体１０、商品陳列室２０、各商品棚３０、吐出口４０、吸入口５０、通風路６０、冷却器７０及び送風機８０と、吐出口４０の下方に設けられた単一の延設部材９０とを備えている。また、第１実施形態と同様に、延設部材９０の後端が吐出口４０の前端４０ａと吸入口５０の前端５０ａとを結ぶ仮想面ＩＦに対して前後２０ｍｍ以内の範囲に配置されることにより、延設部材９０の後端がエアカーテンの前面に対して前後２０ｍｍ以内の範囲に配置されている。ここでは、延設部材９０の後端は仮想面ＩＦ上に配置されている。また、延設部材９０はその後端と吐出口４０の前端４０ａとの上下方向の距離Ｌ２が２００ｍｍ以上７００ｍｍ以下になるように配置されている。また、延設部材９０は各商品棚３０のうち何れか一つの商品棚３０の前方に配置されている。
【００２９】
以上のように構成されたオープンショーケースにおいて、通風路６０内で冷却された空気が吐出口４０から吐出されると、吐出口４０から吐出された吐出空気と商品陳列室２０外の外気とが接触し、吐出空気と外気との接触面において渦が発生する。ここで、吐出口４０の下方に商品陳列室２０の幅方向に延びるように設けられた延設部材９０を備え、延設部材９０の後端が仮想面ＩＦに対して前後２０ｍｍ以内の範囲に配置されることにより、延設部材９０の後端がエアカーテンの前面に対して前後２０ｍｍ以内の範囲に配置されているので、第１実施形態と同様に、吐出空気と外気との接触面において発生する渦の下方への移動が延設部材９０によって妨げられるとともに、延設部材９０によって渦が細かく砕かれ、吐出空気と外気との接触面において渦が大きく成長することがない。
【００３０】
また、延設部材９０の上下方向の位置と吸入空気における吐出空気の含有割合との関係は図１３のグラフのようになる。図１３のグラフは延設部材９０の後端と吐出口４０の前端４０ａとの上下方向の距離Ｌ２を変更しながら、吸入口５０に吸入される空気における吐出口４０から吐出された吐出空気の割合（吐出空気の含有割合）を測定したものである。このように、延設部材９０の後端と吐出口４０の前端４０ａとの上下方向の距離Ｌ２が２００ｍｍ以上７００ｍｍ以下であれば、吐出空気の含有割合が０．８２を超えるが、距離Ｌ２が２００ｍｍを下回る場合は、吐出空気の含有割合の低下が顕著になり、距離Ｌ２が７００ｍｍを超える場合も、吐出空気の含有割合の低下が顕著になる。
【００３１】
このように、本実施形態によれば、吐出口４０の下方に商品陳列室２０の幅方向に延びるように設けられた延設部材９０を備え、延設部材９０の後端が仮想面ＩＦに対して前後２０ｍｍ以内の範囲に配置されている。これにより、延設部材９０の後端がエアカーテンの前面に対して前後２０ｍｍ以内の範囲に配置されるので、吐出空気と外気との接触面において発生する渦の下方への移動が延設部材９０によって効率的に妨げられるとともに、延設部材９０によって効率的に渦が砕かれ、吐出空気と外気との接触面において渦が大きく成長することがない。
【００３２】
また、第１実施形態と同様に、延設部材９０の前方に単一または複数の並設部材９５を設けることも可能であり、その場合の効果は第１実施形態に示す通りである。
【００３３】
また、延設部材９０は各商品棚３０のうち何れか一つの商品棚３０の前方に配置されているので、延設部材９０が各商品棚３０上の商品を取出す上で妨げになることがなく、利用者の利便性を低下させることがない。
【００３４】
尚、第２実施形態では、吐出口４０の下方に単一の延設部材９０を設け、その延設部材９０をその後端と吐出口４０の前端４０ａとの上下方向の距離Ｌ２が２００ｍｍ以上７００ｍｍ以下になるように配置したものを示したが、前記延設部材９０の下方に単一または複数の延設部材９０をさらに設けることも可能である。この場合でも、各延設部材９０の後端が仮想面ＩＦに対して前後２０ｍｍ以内の範囲に配置されることにより、各延設部材９０の後端がエアカーテンの前面に対して前後２０ｍｍ以内の範囲に配置されている場合は、吐出空気と外気との接触面において発生する渦の下方への移動が各延設部材９０によって効率的に妨げられるとともに、各延設部材９０によって効率的に渦が砕かれ、吐出空気と外気との接触面において渦が大きく成長することがない。また、各延設部材９０のうち最も上側の延設部材９０がその後端と吐出口４０の前端４０ａとの上下方向の距離が２００ｍｍ以上７００ｍｍ以下になるように配置されているので、最も上側の延設部材９０によって渦の下方への移動が効率的に妨げられるとともに、最も上側の延設部材９０によって効率的に渦が砕かれ、渦の成長を抑制する上で極めて有利である。
【００３５】
尚、第１及び第２実施形態では、延設部材９０の両端を各フレーム９１によって支持したものを示したが、延設部材９０の両端を一対の可動フレーム９２によって支持するとともに、各可動フレーム９２を商品棚３０によって前後方向に移動可能に支持することも可能である（図１４参照）。これにより、延設部材９０が前後方向に移動可能となり、延設部材９０の前後方向の位置を容易に設定することが可能になる。
【００３６】
また、延設部材９０を上下方向に移動可能に設けることも可能であり、この場合、延設部材９０の上下方向の位置を容易に設定することが可能になる。
【００３７】
尚、第１及び第２実施形態では、延設部材９０が断面円形の棒状に形成されたものを示したが、延設部材９０を断面三角形や断面四角形等の断面多角形の棒状に形成することも可能である。
【００３８】
また、第１及び第２実施形態では、棒状に形成された延設部材９０を設けたものを示したが、各延設部材９０の一部または全部をＬＥＤや蛍光灯から成る照明装置によって形成することも可能である（図１５参照）。この場合、延設部材９０は渦の成長を抑制する効果を有するとともに、商品棚３０上の商品を照明する機能も有する。さらに、各延設部材９０の一部または全部を広告や商品価格などを表示する表示部材によって形成することも可能である。この場合、延設部材９０は渦の成長を抑制する効果を有するとともに、表示機能も有する。
【００３９】
尚、第１及び第２実施形態では、通風路６０内に冷却器７０を設け、吐出口４０から吐出する吐出空気を冷却するようにしたものを示したが、通風路６０内にヒータを設け、吐出口４０から吐出する空気を加熱することも可能である。
【００４０】
また、第１及び第２実施形態では、吐出口４０から吐出された吐出空気が吸入口５０に向かってほぼ直線的に流れ、吐出口４０の前端４０ａと吸入口５０の前端５０ａとを結ぶ仮想面ＩＦに対して延設部材９０の後端を前後２０ｍｍ以内の範囲に配置することにより、延設部材９０の後端がエアカーテンの前面に対して前後２０ｍｍ以内の範囲に配置されるようにしたものを示した。これに対し、例えば吐出口４０から吐出された空気が徐々に前方に向きを変えながら流れる場合（図１６参照）は、吐出空気の流れに基づき想定されるエアカーテンの想定前面に対して前後２０ｍｍ以内の範囲に延設部材９０の後端を配置したり、実際のエアカーテンの前面の位置を確認しながら延設部材９０の前後方向の位置を調整することにより、延設部材９０の後端をエアカーテンの前面に対して前後２０ｍｍ以内の範囲に配置することが可能である。尚、第１及び第２実施形態の場合でも、実際のエアカーテンの前面の位置を確認しながら延設部材９０の前後方向の位置を調整することにより、延設部材９０の後端をエアカーテンの前面に対して前後２０ｍｍ以内の範囲に配置することが可能である。
【図面の簡単な説明】
【００４１】
【図１】本発明の第１実施形態を示すオープンショーケースの斜視図
【図２】オープンショーケースの側面断面図
【図３】オープンショーケースの動作説明図
【図４】延設部材の位置と吐出空気の含有割合との関係を示すグラフ
【図５】第１実施形態の第１変形例を示すオープンショーケースの要部側面断面図
【図６】第１実施形態の第２変形例を示すオープンショーケースの要部側面断面図
【図７】第１実施形態の第３変形例を示すオープンショーケースの要部側面断面図
【図８】第１実施形態の第４変形例を示すオープンショーケースの要部側面断面図
【図９】第１実施形態の第５変形例を示すオープンショーケースの要部側面断面図
【図１０】第１実施形態の第６変形例を示すオープンショーケースの要部側面断面図
【図１１】第１実施形態の第７変形例を示すオープンショーケースの要部側面断面図
【図１２】本発明の第２実施形態を示すオープンショーケースの側面断面図
【図１３】延設部材の位置と吐出空気の含有割合との関係を示すグラフ
【図１４】第１及び第２実施形態の変形例を示す商品棚の斜視図
【図１５】第１及び第２実施形態の他の変形例を示すオープンショーケースの要部側面断面図
【図１６】第１及び第２実施形態のさらに他の変形例を示すオープンショーケースの側面断面図
【図１７】従来のオープンショーケースの動作説明図
【符号の説明】
【００４２】
１０…ショーケース本体、２０…商品陳列室、３０…商品棚、４０…吐出口、４０ａ…前端、４１…整流部材、５０…吸入口、５０ａ…前端、５１…カバー、６０…通風路、７０…冷却器、８０…送風機、９０…延設部材、９１…フレーム、９２…可動フレーム、ＩＦ…仮想面。
【図１】
2008256302.tif 000003
【図２】
2008256302.tif 000004
【図３】
2008256302.tif 000005
【図４】
2008256302.tif 000006
【図５】
2008256302.tif 000007
【図６】
2008256302.tif 000008
【図７】
2008256302.tif 000009
【図８】
2008256302.tif 000010
【図９】
2008256302.tif 000011
【図１０】
2008256302.tif 000012
【図１１】
2008256302.tif 000013
【図１２】
2008256302.tif 000014
【図１３】
2008256302.tif 000015
【図１４】
2008256302.tif 000016
【図１５】
2008256302.tif 000017
【図１６】
2008256302.tif 000018
【図１７】
2008256302.tif 000019